(57)【特許請求の範囲】
【請求項１】
相互に嵌合する雄雌の金属端子のうちの雌型端子を挿入、固定されている雄コネクタハウジングと、前記雌型端子が嵌合される雄型端子が挿入、固定されている雌コネクタハウジングと、が設けられ、かつ、前記雄コネクタハウジングの上側面両端縁に沿って、一対の第一のリブと、前記雌コネクタハウジングに前記第一のリブを案内する第一のリブ溝と、が設けられたコネクタにおいて、
前記雄コネクタハウジングの前記第一のリブ間に、前記雌コネクタハウジングに挿入、固定されている前記雄型端子が折損や変形を生じさせないように、前記雄コネクタハウジングの前端面から奥まった位置に前記第一のリブよりも高さの高い第二のリブが設けられ、
前記第一のリブ溝よりも深い溝を有する、前記第二のリブを案内する、第二のリブ溝が、前記雌コネクタハウジングに形成され、そして
前記雄コネクタハウジングが、前記雌コネクタハウジングにこじり方向に嵌合されるとき、前記第二のリブが、前記雌コネクタハウジングの前端面に当接されて前記こじり方向への前記雄コネクタハウジングの嵌合が阻止されるように構成されている、
ことを特徴とするコネクタ。
【請求項２】
前記雄コネクタハウジングの前端面まで連続して延びる、前記第二のリブの高さよりも低い、補助リブが前記第二のリブに設けられていることを特徴とする請求項１記載のコネクタ。
【請求項３】
前記補助リブが、前記第一のリブとほぼ同じ高さに形成されていることを特徴とする請求項１記載のコネクタ。
【発明の詳細な説明】
【０００１】
【発明の属する技術分野】
本発明は、一方のコネクタハウジングに対して他方のコネクタハウジングをこじることなく嵌合できるコネクタに関する。
【０００２】
【従来の技術】
図６において、コネクタ装置は合成樹脂製の雄コネクタハウジング１と、雄コネクタハウジング１を嵌合して収容するための嵌合穴２を有する合成樹脂製の雌コネクタハウジング３とからなる。雄コネクタハウジング１の後面４からは、雌型の金属端子５（以下「雄型端子」という）が所定の挿入孔に挿入されている。８はその前端面６に設けた相手側の金属端子を挿入するための挿入孔である。この相手側の金属端子は雌コネクタハウジング３の後面７に設けた所定の挿入孔に挿入して固定されている。相手側金属端子の先端部は、雄状の雄型端子であり、嵌合穴２に突出して臨んでいる。これにより、雄コネクタハウジング１を雌コネクタハウジング３に嵌合するとき、挿入孔８が雄型端子を収容せしめ、電気接続を達成する。
また、雄コネクタハウジング１の後面と前端面６との間に存する上側面に、雌雄両コネクタハウジング３,１を嵌合する方向に延びる第一のリブ９と副リブ１０が設けられる。他方、雄コネクタハウジング３には、第一のリブ９を案内する第一のリブ溝１１と、副リブ１０を案内するための副リブ溝１２とが設けられている。
これらの第一のリブ９,９は、雄コネクタハウジング１を雌コネクタハウジング３に対して円滑に嵌合させるためのものである。従って、嵌合する方向とは斜交する方向、すなわち、雄コネクタハウジング１を雌コネクタハウジング３に対して無理に押し込むことにより、両ハウジング１,３が互いにこじれて嵌合するのを防ぐように、すなわち、こじり方向に嵌合するのを防止するために形成されたものである。
コネクタを組み立てるのには、次のようにして行われていた。先ず、雄コネクタハウジング１に予め雌型端子５が挿入されて一体化される。同様に雌コネクタハウジング３にも雄型端子が挿入されて一体化される。一点鎖線で示すように、雄コネクタハウジング１はその前端面６を雌コネクタハウジング３の前面開口部の前端面１３から嵌合穴２に進入させる。このとき各リブ９と、副リブ１０に案内されて雌雄両コネクタハウジング１,３は合体してコネクタが得られる。
【０００３】
【発明が解決しようとする課題】
ところが、従来装置にあっては、図７，８に示すように、こじり方向の嵌合を阻止するための第一のリブ９，９を形成しているにもかかわらず、雄コネクタハウジング１を嵌合する方向に対して斜交する方向で雌コネクタハウジング３に押し込む場合があった。このとき、第一のリブ９，９は第一のリブ溝１１，１１以外の嵌合穴２の内面に嵌込まれる状態となるが、さらに無理に押し込んで嵌合させようとすると、雌コネクタハウジング３の下側面等を広げるように変形させながら雄コネクタハウジング１が嵌合穴２に進入する。その結果、嵌合穴２に臨んでる雄型端子をこじり、折損や変形を生じさせ正しい嵌合方向に嵌合させようとしても、もはや雄型端子が損傷しているために嵌合できず、雌コネクタハウジング３等を全部新たに取り替えなければならないこともあり、ひいてはコネクタ装置の組み立て作業の効率低下、製造コストが高くなるという恐れがあった。
【０００４】
本発明は、上述した事情に鑑みて工夫されたもので、一方のコネクタハウジングを他方のコネクタハウジングに対して、こじり方向に無理矢理に押し込むことを阻止して、他方のコネクタハウジングの嵌合穴にある雄型端子の折損等を未然に回避しうるこじり阻止機構を具えたコネクタを得ることを目的とする。
【０００５】
【課題を解決するための手段】
前記課題を解決するためなされた請求項１記載の発明に係るコネクタは、相互に嵌合する雄雌の金属端子のうちの雌型端子を挿入、固定されている雄コネクタハウジングと、前記雌型端子が嵌合される雄型端子が挿入、固定されている雌コネクタハウジングと、が設けられ、かつ、前記雄コネクタハウジングの上側面両端縁に沿って、一対の第一のリブと、前記雌コネクタハウジングに前記第一のリブを案内する第一のリブ溝と、が設けられたコネクタにおいて、
前記雄コネクタハウジングの前記第一のリブ間に、前記雌コネクタハウジングに挿入、固定されている前記雄型端子が折損や変形を生じさせないように、前記雄コネクタハウジングの前端面から奥まった位置に前記第一のリブよりも高さの高い第二のリブが設けられ、
前記第一のリブ溝よりも深い溝を有する、前記第二のリブを案内する、第二のリブ溝が、前記雌コネクタハウジングに形成され、そして、
前記雄コネクタハウジングが、前記雌コネクタハウジングにこじり方向に嵌合されるとき、前記第二のリブが、前記雌コネクタハウジングの前端面に当接されて前記こじり方向への前記雄コネクタハウジングの嵌合が阻止されるように構成されている、
ことを特徴とする。
【０００６】
請求項２記載の発明に係るコネクタは、請求項１記載のコネクタに係り、前記雄コネクタハウジングの前端面まで連続して延びる、前記第二のリブの高さよりも低い、補助リブが前記第二のリブに設けられていることを特徴とする。
【０００７】
請求項３記載の発明に係るコネクタは、請求項１記載のコネクタに係り、前記補助リブが、前記第一のリブとほぼ同じ高さに形成されていることを特徴とする。
【０００８】
請求項１記載の発明によれば、雄コネクタハウジングの上側面であってその前端面から奥まった位置に、第一のリブよりも高さの高い第二のリブが設けられ、雌コネクタハウジングには第一のリブ溝よりも深さの深い第二のリブ溝を形成したため、雄のコネクタハウジングを雌のコネクタハウジングに対してこじる方向に嵌合しようとするとき、第二のリブが雌のコネクタハウジングの前端面に突き当たり、こじり嵌合をしていることがわかる。
【０００９】
請求項２記載の発明によれば、第二のリブよりも高さの低い補助リブが、第二のリブにコネクタハウジングの前端面まで連続するように延ばして形成されたため、両コネクタハウジングを嵌合させるとき、その嵌合当初においては補助リブが第二のリブ溝に案内されるので、円滑な嵌合作業を行える。
【００１０】
請求項３記載の発明によれば、第二のリブに連続して設けられた補助リブが、雌のコネクタハウジングに設けられた第一のリブとほぼ同じ高さに形成されているため、第二のリブ溝に円滑に案内され、良好な嵌合姿勢に持っていくことができ、こじる方向への嵌合を阻止する。
【００１１】
【発明の実施の形態】
以下、本発明の実施の形態を図１に基づいて説明する。
図１は本実施の形態であるコネクタの組み立て分解を示した外観斜視図である。上記従来装置と実質的に同一部分、部材または均等部材には、上記従来装置に用いたと同一符号を付してその説明を省略することとし、相違する構成のみを説明する。
【００１２】
すなわち、雄コネクタハウジング１の上側面１４に形成された第一のリブ９および副リブ１０間に、嵌合する方向に延びる一対のリブ手段１５が突設される。該リブ手段１５は、第二のリブ１６と、該第二のリブ１６から前端面６に連続して延びると共に第二のリブ１６より高さの低い補助リブ１７とからなる。この第二のリブ１６は第一のリブ９や副リブ１０よりも上側面１４からの高さが高くなるように形成される。一方、前端面６からＬだけ奥まった位置には、第二のリブ１６と段差をなして連続する補助リブ１７が設けられていて、第二のリブ１６との間で段差部１５１が形成される。補助リブ１７は第一のリブ９や副リブ１０とほぼ同じ高さを有する。
雌コネクタハウジング３には第二のリブ１６を案内すると共に第一のリブ溝１１よりも深い第二のリブ溝１８が凹設される。
【００１３】
補助リブ１７は、雄コネクタハウジング１を雌コネクタハウジング３に嵌合する当初において、嵌合しやすくするためのものであり、第二のリブ１６は、両ハウジング１，３がこじり方向に嵌合しようとするとき、第二のリブ１６が雌コネクタハウジング３の開口部の前端面１３に当接することで、それ以上はこじり方向への嵌合ができないようにするためのもにである。
なお、符号１９は被係止部２０に係止する係止爪であり、嵌合時に係止爪１９が被係止部２０に係合することで、雌雄両コネクタハウジング３，１の結合がガタつかないようにするものである。
【００１４】
本実施の形態の作用を説明する。雄コネクタハウジング１が雌コネクタハウジング３に対して、正常に嵌合されるとき、リブ手段１５の補助リブ１７は第二のリブ溝１８に、また第一のリブ９，副リブ１０はそれぞれ第一のリブ溝１１，副溝１２に嵌まる。さらに押し込むことで第二のリブ１６も第二のリブ溝１８に入る。従って、雌雄両コネクタハウジング３，１は雄型端子を何ら損傷させることなく嵌合されてコネクタを完成させることができる。
【００１５】
他方、図２〜４のように誤って雄コネクタハウジング１を雌コネクタハウジング３に対して、こじり方向に嵌合させようとするとき、雄コネクタハウジング１の第一のリブ９は第一のリブ溝１１に嵌まらないで、嵌合穴２の天井に圧入して、雌コネクタハウジング３を外側に拡大するように変形させる。
ところが、このとき第二のリブ１６が拡大変形した雌コネクタハウジング３の開口部前端面１３に当接する。これにより、それ以上雄コネクタハウジング１を雌コネクタハウジング３へ押し込むことができなくなり、雌コネクタハウジング３内の雄型端子の損傷を確実に阻止することができる。
この場合には、一旦雄コネクタハウジング１を雌コネクタハウジング３から抜いて分離し、改めて雌コネクタハウジング３に嵌合を行うことができる。
従って、雌雄のコネクタハウジング３，１の嵌合組み立て作業の効率を向上でき、製造コストの安価なコネクタ装置を得ることができるといった効果を奏する。
【００１６】
以上、本実施の形態を具体的に詳述してきたが、具体的な構成はこの形態に限られるものではなく、本発明の要旨を逸脱しない範囲の設計変更等があっても本発明に含まれる。
例えば、上記実施の形態では、こじりを阻止するリブ手段１５に段差部１５１を有する形状にしたが、これを図５に示すように段差部１５１すなわち段差を有しない形状にしてもよい。すなわち補助リブ１７のない上記第二のリブ１６に相当する高さを有する第二のリブ１６だけに形成してもよいものである。
また、こじり阻止用のリブ手段１５を雄コネクタハウジング１に設け、これに係合する第二のリブ溝１８を雌コネクタハウジング３に設けたが、逆にリブ手段１５を雌コネクタハウジング３に設け、第二のリブ溝１８を雄コネクタハウジング１側に設けることもできる。
【００１７】
【発明の効果】
以上説明したように、請求項１に記載された本発明によれば、こじり方向の嵌合により雄コネクタハウジングがこじりによる雌コネクタハウジングの変形により若干嵌入したとしても、二次的に第二のリブが雌コネクタハウジングの前端面に当接することにより、それ以上嵌入させることができなくなり、確実にこじりを防止できる効果を奏する。
請求項２に記載の本発明によれば、第二のリブよりも低い補助リブが雄コネクタハウジングの前端面から第一のリブまで連続して設けたため、嵌合当初は補助リブも第二のリブ溝にガイドされ、嵌合を円滑に行える効果を奏する。
請求項３に記載の本発明によれば、補助リブは第一のリブとほぼ同じ高さに形成したため、補助リブを第二のリブ溝に円滑に案内され、良好な嵌合姿勢に持っていくことができ、こじり方向への嵌合を阻止する。
【図面の簡単な説明】
【図１】本発明による一実施の形態に係るコネクタに係り、雄コネクタハウジングと雌コネクタハウジングとの組み立て分解を示す外観斜視図である。
【図２】図１の雄コネクタハウジングが雌コネクタハウジングにこじり方向に嵌合している状態を概念的に示す概略平面図である。
【図３】図２を矢印Ａ方向から見た状態を概念的に示した側面図である。
【図４】図２のＢ−Ｂ線における矢視部分拡大断面図である。
【図５】一実施の形態の変形例における外観斜視図である。
【図６】従来装置におけるコネクタの組み立て分解を示す外観斜視図である。
【図７】雄コネクタハウジングが雌コネクタハウジングに対してこじり方向に嵌合する状態を概念的に示す平面図である。
【図８】図７の矢印Ｃ方向から視た概念的な側面図である。
【符号の説明】
１            雄コネクタハウジング
２            嵌合穴
３            雌コネクタハウジング
４            後面
５            雌型端子
６            前端面
１３          前端面
１５          リブ手段
１６，２０    第二のリブ
１７          補助リブ
１８          第二のリブ溝
【図１】
0004184566.tif 000002
【図２】
0004184566.tif 000003
【図３】
0004184566.tif 000004
【図４】
0004184566.tif 000005
【図５】
0004184566.tif 000006
【図６】
0004184566.tif 000007
【図７】
0004184566.tif 000008
【図８】
0004184566.tif 000009